(57)【要約】【課題】周囲の雑音や騒音に影響されず、ユーザが小声を発するだけで学習することができ、学習場所に限定されない学習効率の高い自己音声再生装置を提供する。【解決手段】本発明に係る自己音声再生装置１０は、ユーザ１１の一方の耳１２ａに装着されるイヤホンマイク１３と、イヤホンマイク１３に接続され、イヤホンマイク１３により集音されたユーザ１１自身の音声の音量を増幅する音量増幅器１５と、ユーザ１１の他方の耳１２ｂに装着されると共に音量増幅器１５に接続され、音量増幅器１５により音量が増幅されたユーザ１１自身の音声を再生するイヤホン１４とを備えていることを特徴とする。【選択図】図１
2009251277.tif 000002
【特許請求の範囲】
【請求項１】
ユーザの一方の耳に装着されるイヤホンマイクと、該イヤホンマイクに接続され、該イヤホンマイクにより集音された前記ユーザ自身の音声の音量を増幅する音量増幅器と、前記ユーザの他方の耳に装着されると共に前記音量増幅器に接続され、該音量増幅器により音量が増幅された前記ユーザ自身の音声を再生するイヤホンと、を備えていることを特徴とする自己音声再生装置。
【請求項２】
前記音量増幅器に接続されるオーディオプレーヤーを備えている請求項１に記載の自己音声再生装置。
【請求項３】
前記音量増幅器を内蔵するオーディオプレーヤーを備えている請求項１に記載の自己音声再生装置。
【請求項４】
前記イヤホンマイクにより集音された前記ユーザ自身の音声を前記イヤホンが再生するモードと、前記オーディオプレーヤーにより再生された音声を前記イヤホンと前記イヤホンマイクの両方で同時に再生するモードのいずれか一方のモードに切換え可能なスイッチを備えている請求項２又は３に記載の自己音声再生装置。
【発明の詳細な説明】
【技術分野】
【０００１】
本発明は、ユーザが自分自身の音声を直接聴くことのできる自己音声再生装置に関するものである。
【背景技術】
【０００２】
従来、英語等の外国語を習得するために、ＣＤ−ＲＯＭ等の教材に録音された外国語の音声を繰返し聴取したり、その音声を真似て発音練習したりする学習方法が採用されており、この学習方法を行うために教材の音声を再生するＣＤプレーヤーやＭＤプレーヤー等のオーディオプレーヤーが広く使用されている。
【０００３】
しかしながら、オーディオプレーヤーを使用する従来のこの種の学習方法では、ユーザは自分自身が発した音声を直接聴くことができず、自分自身が発した音声を聴き返すためには、一旦ＣＤ等の記憶媒体に録音した後に再生操作を行う必要があった。そのため、この一連の操作に手間が掛かり、学習効率を十分に高めることができないといった問題があった。
【０００４】
そこで、このような問題点を解決するため、テープレコーダー等の所要の接続親機からの音声とユーザ自身の音声とを直接同時に聴くことができるミキシング方式と、リピート機能を備えたＩＣ録音による録音機とを組み合わせて成るマイク付きヘッドホン装置が提案されている（例えば、特許文献１参照）。
【特許文献１】実用新案登録第２５０９２１２号公報
【発明の開示】
【発明が解決しようとする課題】
【０００５】
しかしながら、上記した従来のマイク付きヘッドホン装置では、マイクがイヤホンの下方の外部に設置されているため、周囲の雑音や騒音を拾い易い。そのため、地下鉄、バス、電車等、雑音や騒音の大きい場所では、接続親機からの音声やユーザ自身の音声が聴き難くなるため、学習効率を高めることが難しいといった問題があった。
【０００６】
また、ユーザがある程度の音量で発声しないと、自分の音声が聴こえないため、ユーザの音声により周囲の人に迷惑が掛かるといった問題があった。さらに、そのような問題を回避するためには周囲に人がいない場所でしか学習することができず、学習場所が限定されるといった問題もあった。
【０００７】
本発明は、上記した課題を解決すべくなされたものであり、周囲の雑音や騒音に影響されず、ユーザが小声を発するだけで学習することができ、学習場所に限定されない学習効率の高い自己音声再生装置を提供することを目的とするものである。
【課題を解決するための手段】
【０００８】
上記した目的を達成するため、本発明に係る自己音声再生装置は、ユーザの一方の耳に装着されるイヤホンマイクと、該イヤホンマイクに接続され、該イヤホンマイクにより集音された前記ユーザ自身の音声の音量を増幅する音量増幅器と、前記ユーザの他方の耳に装着されると共に前記音量増幅器に接続され、該音量増幅器により音量が増幅された前記ユーザ自身の音声を再生するイヤホンとを備えていることを特徴とする。
【０００９】
また、本発明に係る自己音声再生装置は、前記音量増幅器に接続されるオーディオプレーヤーを備えていてもよい。
【００１０】
さらに、本発明に係る自己音声再生装置は、前記音量増幅器を内蔵するオーディオプレーヤーを備えていてもよい。
【００１１】
さらにまた、本発明に係る自己音声再生装置は、前記イヤホンマイクにより集音された前記ユーザ自身の音声を前記イヤホンが再生するモードと、前記オーディオプレーヤーにより再生された音声を前記イヤホンと前記イヤホンマイクの両方で同時に再生するモードのいずれか一方のモードに切換え可能なスイッチを備えていてもよい。
【発明の効果】
【００１２】
本発明によれば、周囲の雑音や騒音に影響されず、ユーザが小声を発するだけで学習することができ、学習場所に限定されない学習効率の高い自己音声再生装置を提供することが可能となる。
【発明を実施するための最良の形態】
【００１３】
以下、図面を参照しつつ、本発明の実施の形態について説明する。
【００１４】
先ず、図１を参照しつつ、本発明の第１の実施の形態に係る自己音声再生装置について説明する。
【００１５】
本実施の形態に係る自己音声再生装置１０は、ユーザ１１の一方の耳１２ａに装着されるイヤホンマイク１３と、ユーザ１１の他方の耳１２ｂに装着されるイヤホン１４と、イヤホンマイク１３及びイヤホン１４に接続される音量増幅器１５とを備えて構成されている。
【００１６】
イヤホンマイク１３は、イヤホンとマイクが一体となったものであり、例えば、骨の振動を音声に変換して伝える骨伝導方式のイヤホンマイクや、空気中の振動を音声に変換して伝えるインコア方式のイヤホンマイク等を含む。イヤホンマイク１３とイヤホン１４は六極端子でまとめられて音量増幅器１５に接続される。なお、イヤホンマイク１３とイヤホン１４は音量増幅器１５と一体に接続されていてもよい。
【００１７】
音量増幅器１５は、前記六極端子の入力ジャック１６と、電源スイッチ１７とを備えており、電源として単四電池（図示せず）が使用されている。なお、電源は充電式電池を使用してもよい。
【００１８】
上記した構成を備えた自己音声再生装置１０において、電源スイッチ１７をオンにし、ユーザが例えば語学用の教本を音読すると、該ユーザ自身の音声はイヤホンマイク１３により集音され、音量増幅器１５によって該音声の音量が増幅された後、イヤホン１４を通して再生される。これにより、ユーザは自分自身が発した音声を直接聴くことができる。
【００１９】
次に、図２を参照しつつ、本発明の第２の実施の形態に係る自己音声再生装置について説明する。なお、以下の説明では、説明の簡略化のため、上記した第１の実施の形態と同等の構成については、図２中、図１と同一の符号を付し、詳細な説明は省略する。
【００２０】
本実施の形態に係る自己音声再生装置２０は、ユーザ１１の一方の耳１２ａに装着されるイヤホンマイク１３と、ユーザ１１の他方の耳１２ｂに装着されるイヤホン１４と、イヤホンマイク１３及びイヤホン１４に接続される音量増幅器１５と、音量増幅器１５に接続されるオーディオプレーヤー２１とを備えて構成されている。
【００２１】
音量増幅器１５は、前記六極端子の入力ジャック１６と、オーディオプレーヤー接続用の三極端子の入力ジャック２２と、電源スイッチ１７とを備えており、電源として単四電池（図示せず）が使用されている。なお、電源は充電式電池を使用してもよく、また、図１と同様にイヤホンマイク１３とイヤホン１４は音量増幅器１５と一体に接続されていてもよい。
そして、電源スイッチ１７は、イヤホンマイク１３により集音された前記ユーザ自身の音声をイヤホン１４が再生するオンモードと、オーディオプレーヤー２１により再生された音声をイヤホン１４とイヤホンマイク１３が同時に再生するオフモードのいずれかの一方のモードに切換え可能なように構成されている。なお、オンモードの時には接続されたオーディオプレーヤー２１により再生された音声はイヤホンマイク１３によって同時に再生される。
【００２２】
上記した構成を備えた自己音声再生装置２０において、電源スイッチ１７をオンモードにすると、オーディオプレーヤー２１により再生された、例えば語学用の教材の音声はイヤホンマイク１３によって再生される。そして、ユーザがこの再生された教材の音声に従って発声すると、該ユーザ自身の音声はイヤホンマイク１３により集音され、音量増幅器１５によって該音声の音量が増幅された後、イヤホン１４を通して再生される。これにより、ユーザは自分自身が発した音声を直接聴くことができる。
【００２３】
一方、電源スイッチ１７をオフモードに切換えると、オーディオプレーヤー２１により再生された、例えば語学用の教材の音声はイヤホンマイク１３とイヤホン１４の両方によって再生される。
【００２４】
なお、上記した第２の実施の形態では、オーディオプレーヤー２１は音量増幅器１５に接続されているが、これは単なる例示に過ぎず、例えば、図３に示されているように、音量増幅器１５はオーディオプレーヤー２１に内蔵されて一体化されていてもよい。なお、この図３に示されているオーティオプレーヤー２１には、特定の書籍等の教材に対応した音響教材が既に録音されている専用の音響教材再生装置等、他の録音済音響教材再生装置も含まれる。
【００２５】
このように上記した第１及び第２の実施の形態に係る自己音声再生装置１０，２０は、イヤホンマイク１３を使用しており、周囲の雑音や騒音を拾わないため、地下鉄、バス、電車等、雑音や騒音の大きい場所で使用しても、ユーザはオーディオプレーヤーからの音声や自分自身の音声を確実に聴くことができる。また、ユーザが小音量で発声したとしても、ユーザ自身の音声を再生することができるため、ユーザの音声により周囲の人に迷惑を掛けることがない。そのため、ユーザは、通勤通学途中の車中、音楽や話し声のする喫茶店、公園のベンチ、図書館、休み時間、歩行中等、従来では学習のできなかった場所や時間帯に学習をすることができる。さらにまた、勉強部屋を共同で使用している受験生もお互いに邪魔にならずに学習することができると共に、家が狭く、テレビを見る家族の直ぐ近くで勉強する受験生や社会人も自分自身の音声を聴きながら集中して学習することができる。
【図面の簡単な説明】
【００２６】
【図１】本発明の第１の実施の形態に係る自己音声再生装置を示す正面図である。
【図２】本発明の第２の実施の形態に係る自己音声再生装置を示す正面図である。
【図３】本発明の第２の実施の形態に係る自己音声再生装置の変形例を示す正面図である。
【符号の説明】
【００２７】
１０，２０    自己音声再生装置
１１          ユーザ
１２ａ        一方の耳
１２ｂ        他方の耳
１３          イヤホンマイク
１４          イヤホン
１５          音量増幅器
１７          スイッチ
２１          オーディオプレーヤー
【図１】
2009251277.tif 000003
【図２】
2009251277.tif 000004
【図３】
2009251277.tif 000005